(57)【要約】【課題】通信端末機の小型化に符合しながらも、多様な通信サービスを支援するのに充分な構造としてキーを備え、かつ、キーによるデータ入力エラーを最小限に抑えるようにキーの動作を制御できる通信端末機を提供する。【解決手段】第１ハウジングと、前記第１ハウジングに対面した状態で結合する第２ハウジングと、前記第１ハウジングに対面した状態での前記第２ハウジングの動きに応じて、前記第１ハウジング及び前記第２ハウジングのいずれかに備えられたデータ入力部の動作を遮断（interrupt）する制御ユニットと、を備える構成とした。【選択図】図５
2007135202.tif 000002
【特許請求の範囲】
【請求項１】
第１ハウジングと、
前記第１ハウジングに対面した状態で結合する第２ハウジングと、
前記第１ハウジングに対面した状態での前記第２ハウジングの動きに応じて、前記第１ハウジング及び前記第２ハウジングのいずれかに備えられたデータ入力部の動作を遮断する制御ユニットと、
を含んで構成されることを特徴とする通信端末機。
【請求項２】
前記第２ハウジングは、前記第１ハウジングに対面した状態でスイングすることを特徴とする請求項１に記載の通信端末機。
【請求項３】
前記制御ユニットは、前記第２ハウジングが一定角度スイングするまで前記データ入力部の動作を遮断することを特徴とする請求項２に記載の通信端末機。
【請求項４】
前記制御ユニットは、前記第２ハウジングの動きが検出された時から一定時間、前記データ入力部の動作を遮断することを特徴とする請求項１に記載の通信端末機。
【請求項５】
前記データ入力部は、少なくとも一つのキーを含むことを特徴とする請求項１に記載の通信端末機。
【請求項６】
高部面及び低部面が形成された本体ハウジングと、
前記高部面と前記低部面との間の段差面に形成された第１入力部と、
前記低部面に対面した状態でスイングする上部ハウジングと、
を含んで構成されることを特徴とする通信端末機。
【請求項７】
前記上部ハウジングがスイングするか否かを判定し、前記上部ハウジングがスイングしたと判定した場合に、前記第１入力部による入力動作を非活性化するように制御する制御ユニットをさらに含むことを特徴とする請求項６に記載の通信端末機。
【請求項８】
前記制御ユニットは、前記上部ハウジングのスイングが検出された時から一定時間、前記第１入力部による入力動作を非活性化することを特徴とする請求項７に記載の通信端末機。
【請求項９】
前記制御ユニットは、前記上部ハウジングのスイングによる回転角度が一定水準に達するまで、前記第１入力部による入力動作を非活性化することを特徴とする請求項７に記載の通信端末機。
【請求項１０】
前記本体ハウジングの高部面に第２入力部を備えることを特徴とする請求項６に記載の通信端末機。
【請求項１１】
前記本体ハウジングの低部面に第３入力部を備えることを特徴とする請求項６に記載の通信端末機。
【請求項１２】
前記第３入力部は、前記上部ハウジングのスイングによって開閉されることを特徴とする請求項１１に記載の通信端末機。
【請求項１３】
前記第１入力部は少なくとも一つのキーを含むことを特徴とする請求項６に記載の通信端末機。
【請求項１４】
前記上部ハウジングは、前記低部面に対面する面の反対面に、少なくとも一つの出力部を備えることを特徴とする請求項６に記載の通信端末機。
【請求項１５】
前記出力部は、ディスプレイデバイスを含むことを特徴とする請求項１４に記載の通信端末機。
【請求項１６】
高部面、低部面、及びこれら高部面と低部面との間に形成され少なくとも一つのキーを含む段差面を有する本体と、
前記低部面に結合され、該低部面に対面した状態でスイングするディスプレイユニットと、
前記ディスプレイユニットがスイングするか否かを判定し、前記ディスプレイユニットがスイングしたと判定した場合に、前記キーの動作を一時遮断するように制御する制御ユニットと、
を含んで構成されることを特徴とする通信端末機。
【請求項１７】
前記本体の高部面及び低部面にキーが備えられることを特徴とする請求項１６に記載の通信端末機。
【請求項１８】
前記ディスプレイユニットのスイングが検出されると、前記制御ユニットが、前記高部面及び前記低部面に備えられたキーの少なくとも一つの動作を一時遮断するように制御することを特徴とする請求項１７に記載の通信端末機。
【請求項１９】
前記低部面に備えられたキーは、前記ディスプレイユニットのスイングによって開閉されることを特徴とする請求項１８に記載の通信端末機。
【請求項２０】
前記低部面に備えられるキーと前記段差面に備えられるキーとは、一つのパッドに形成されることを特徴とする請求項１７に記載の通信端末機。
【発明の詳細な説明】
【技術分野】
【０００１】
本願は、韓国特許出願番号１０−２００５−０１０１５２７及び１０−２００５−０１３５０１９の優先権を主張するものであり、その内容はここに享有される。
【０００２】
本発明は、通信端末機に関するものである。
【背景技術】
【０００３】
近年、個人携帯用通信端末機は、技術的に大きく発展してきており、これに伴って通信端末機のデザインもより多様化し、バー型（bar type）端末機を始めとして、フリップ型端末機や折り畳み型端末機も市販されている。
【０００４】
図１は、従来の折り畳み型通信端末機の構成を示すもので、折り畳み型通信端末機の分解斜視図である。図１を参照すると、折り畳み型通信端末機は、本体部１と折り畳み部２とで構成される。本体部１と折り畳み部２とはヒンジ結合される。したがって、そのヒンジの回動によって折り畳み部２が本体部１に対して開閉される。
【０００５】
本体部１は、複数のキー４の露出穴７が形成された上部カバー６と、その上部カバー６の下側に結合される下部カバー８と、様々な部品が装着され、上部カバー６と下部カバー８との間に挟まれる回路基板（Circuit board）９と、データ入力のために上部カバー６の下部に結合されるキーパッド（図示せず）と、で構成される。該キーパッドが上部カバー６の下部に結合されることによって、複数キー４が露出穴７からそれぞれ露呈する。
【０００６】
折り畳み部２は、様々なデータを画像で表示するディスプレイデバイス（通常ＬＣＤ（Liquid Crystal Display）を採用する）３と、ディスプレイデバイス３を保護する折り畳み部ハウジング５と、を備える。
【０００７】
上記のように構成された従来の折り畳み型通信端末機において、ヒンジ回動で折り畳み部２が開いた後にキー４が押下されることによって、データ入力が行われる。
【０００８】
最近では、通信端末機で支援可能な通信サービスが多様化するに伴い、折り畳み型通信端末機に続いて、スライド型やスイング型の端末機も開発されてきている。なかでもスライド型端末機が広く使用されているが、端末機を介したデジタル放送サービスの開始に伴ってスイング型端末機の開発も続いている。
【０００９】
現在市販中の通信端末機の類型には、バー型、フリップ型、折り畳み型、スライド型及びスイング型がある。これらの類型のうち、フリップ型、折り畳み型、スライド型及びスイング型は、本体と、該本体の上部に構造的にまた電気的に結合され、ある程度自由に動かすことのできる可動部とからなる。
【発明の開示】
【発明が解決しようとする課題】
【００１０】
端末機メーカでは、端末機の小型化に努力を続けているが、支援すべきサービスの多様化及び各サービスの高品質化につれて、端末機の小型化にも難題が増えている。特に、端末機の小型化はキーの配置に大きく左右されるが、端末機の小型化のためにキーの個数を減らしたり、キーを小さくすると、使い勝手が悪くなってしまう。
【００１１】
本発明は背景技術の限界及び不利益を解決するためのもので、その目的は、通信端末機の小型化に符合しながらも、様々な通信サービスを支援するのに充分な形態のキーを備えた通信端末機を提供することにある。本発明の他の目的は、キー入力エラーを最小限に抑えるようにキーの動作を制御できる通信端末機を提供することにある。
【課題を解決するための手段】
【００１２】
本発明の他の目的、特徴、効果は、実施形態を含む以下の説明から把握され、また実践により理解される。上記以外の目的及び効果も、図面と共に示す以下の説明及び特許請求の範囲で提示される構成により実現される。
【００１３】
上記目的を達成するための本発明に係る通信端末機は、第１ハウジングと、前記第１ハウジングに対面した状態に結合する第２ハウジングと、前記第１ハウジングに対面した状態での前記第２ハウジングの動きに応じて、前記第１ハウジング及び前記第２ハウジングのいずれかに備えられたデータ入力部（Input part）の動作を遮断（interrupt）する制御ユニットと、を備える構成を第１特徴とする。
【００１４】
好ましくは、前記第２ハウジングは、前記第１ハウジングに対面した状態でスイングすることができる。このとき、前記制御ユニットは、前記第２ハウジングが一定角度スイングするまで前記データ入力部の動作を遮断することができる。
【００１５】
好ましくは、前記制御ユニットは、前記第２ハウジングの動きが検出された時から一定時間、前記データ入力部の動作を遮断することができる。
【００１６】
前記データ入力部は、少なくとも一つのキーを含む。
【００１７】
上記目的を達成するための本発明に係る通信端末機は、高部面及び低部面が形成された本体ハウジングと、前記高部面と低部面との間の段差面に形成された第１入力部と、前記低部面に対面した状態でスイングする上部ハウジングと、を備える構成を第２特徴とする。
【００１８】
好ましくは、前記上部ハウジングがスイングするか否かを判定し、前記上部ハウジングがスイングしたと判定した場合に、前記第１入力部による入力動作を非活性化するように制御する制御ユニットをさらに備える。当該制御ユニットは、前記上部ハウジングのスイングが検出された時から一定時間、前記第１入力部による入力動作を非活性化することができる。また、前記制御ユニットは、前記上部ハウジングのスイングによる回転角度が一定水準に達するまで、前記第１入力部による入力動作を非活性化することができる。
【００１９】
前記本体ハウジングの高部面に第２入力部をさらに備えていてもよい。また、前記本体ハウジングの低部面に第３入力部をさらに備えていてもよい。この第３入力部は、前記上部ハウジングのスイングによって開閉可能となる。
【００２０】
前記第１入力部は、少なくとも一つのキーを含む。
【００２１】
好ましくは、前記上部ハウジングは、前記低部面に対面する面の反対面に、少なくとも一つの出力部（output part）を備える。この出力部は、ディスプレイデバイスを含む。
【００２２】
上記目的を達成するための本発明に係る通信端末機は、高部面、低部面、及びこれら高部面と低部面との間に形成され少なくとも一つのキーを含む段差面を有する本体と、前記低部面に結合され、該低部面に対面した状態でスイングするディスプレイユニットと、前記ディスプレイユニットがスイングするか否かを判定し、前記ディスプレイユニットがスイングしたと判定した場合に、前記キーの動作を一時遮断（interrupt）するように制御する制御ユニットと、を備える構成を第３特徴とする。
【００２３】
好ましくは、前記本体の高部面及び低部面にはキーが備えられ、前記ディスプレイユニットのスイングが検出されると、前記制御ユニットが、前記高部面及び前記低部面に備えられたキーの少なくとも一つの動作を一時遮断するように制御する。前記低部面に備えられたキーは、前記ディスプレイユニットのスイングによって開閉される。
【００２４】
前記低部面に備えられるキーと前記段差面に備えられるキーとは、一つのパッドに形成したものとすることができる。
【００２５】
本発明に関する上記の広範な記載及び下記の詳細な記載は、例示及び説明と、特許請求の範囲に記載された発明のさらなる理解を提供するためのものである。
【発明の効果】
【００２６】
本発明の通信端末機によれば、ディスプレイユニットがスイングする空間を生かし、高部面及び低部面の間の段差面を本体に形成したため、多様で高品質のサービスを支援するためのキーをさらに配置する空間を確保することが可能になる。すなわち、本発明では、本体に形成される高部面、低部面、及びその間の段差面にキーを配置でき、多様なキーの活用度を向上させることができる。
【００２７】
また、本発明では、上部ハウジングの動きを検出してデータ入力部の動作を適宜制御しているため、使用者が上部ハウジングを動かしながら誤ってデータ入力を発生させてしまうことを防止することができる。例えば、スライド型端末機において上部ハウジングをスライドアップ（slide up）またはスライドダウン（slide down）させる過程で誤ってキーを押してしまっても、その時の入力データは無視されるため、データ入力エラーを防ぐことができる。また、スイング型端末機において上部ハウジングをスイング（swing）させる過程で誤ってキーを押してしまっても、その時の入力データは無視されるため、データ入力エラーを防ぐことができる。
【００２８】
また、本発明の通信端末機では、段差面キーを提供することによって、使用者がキーを押下するときのクリック感を向上させ得る。
【発明を実施するための最良の形態】
【００２９】
以下、本発明に係る通信端末機の好適な実施形態を、添付の図面を参照しつつ詳細に説明する。図中、同じ又は類似の要素には極力共通の符号を付している。
【００３０】
本発明による通信端末機は、本体と、その本体の上部に構造的にまた電気的に結合され、ある程度自由に動かすことのできる可動部と、を備える構造を有する。本体の内部は本体ハウジングによって保護され、本体の上部に結合される可動部の内部は上部ハウジングによって保護される。例えば、本体の上部に結合される可動部はディスプレイユニットであり、該ディスプレイユニットが上部ハウジングによって保護される。
【００３１】
以下では、説明の便宜上、本体を本体ハウジングとして説明し、本体に結合される可動部を上部ハウジングとして説明する。すなわち、本体ハウジングは本体に該当し、上部ハウジングは、本体に結合される可動部に該当する。
【００３２】
本発明による通信端末機は、上部ハウジングが本体ハウジングに対面した状態で動く構造をもつ。特に、本体ハウジングに段差（step）を形成し、その本体ハウジングの低部面に対面した状態で上部ハウジングが動く。本発明では、段差を形成するに当たり、キーの配置を多様化するために高部面と低部面との間に段差面を置いた。そして、その段差面には少なくとも一つのキーが配置される。
【００３３】
上述したように、本発明による通信端末機は、スライド型端末機やスイング型端末機とすることができる。しかし、本発明は他の類型の通信端末機にも十分に適用可能であり、よって、本発明をスライド型端末機やスイング型端末機に限定することはない。
【００３４】
本発明の通信端末機は、上記のように上部ハウジングが本体ハウジングに対面した状態で動くことに応じて、データ入力のために備えられた部分（例えば、キー）が制御される。言い換えると、通信端末機に備えられた制御ユニットは、本体ハウジングに対面した状態での上部ハウジングの動きに応じて、上部ハウジングや本体ハウジングに備えられたキーの動作を一時的に遮断（interrupt）する、または、一時的に非活性化（disable）する。
【００３５】
以下、図面を参照しつつ、本発明の通信端末機についてより詳細に説明する。特に、以下ではスイング型端末機を例に挙げて説明するが、これに限定されず、スライド型端末機などにも適用可能である。
【００３６】
図２は、スイング型端末機において上部ハウジングの動作例を示す正面図である。
【００３７】
図２を参照すると、本発明による端末機は、上部ハウジングが本体ハウジングに対面した状態で動く。本例の上部ハウジングは、本体ハウジングの上部面に対面した状態でスイングする。
【００３８】
本発明の端末機は、この上部ハウジングの動き状態を認識するスイッチ（図示せず）を備える。当該スイッチは、上部ハウジングがスイングする際に押下されるように構成される。したがって、図２のように上部ハウジングがスイングまたは回転すると、スイッチが押下される。また、このスイッチの状態変化によって上部ハウジングの動きを検出する。
【００３９】
本発明による端末機は、当該スイッチの押下時から所定時間の間、端末機に備えられたキーの一部または全部を一時的に入力遮断（interrupt）の状態にする。すなわち、上部ハウジングがスイングし始めた時から一定時間、キーを非活性化（disable）する。したがって、この一定時間の間は、キーが押下されてもデータ入力として処理されない。
【００４０】
図３は、本発明による通信端末機の内部構成を示すブロック図である。
【００４１】
図３を参照すると、本発明による通信端末機は、本体ハウジング１１と、この本体ハウジング１１に動的に結合される上部ハウジング１６と、で構成される。
【００４２】
上部ハウジング１６は、本体ハウジング１１の上部に結合される。本体ハウジング１１は、第１データ入力部１２、第１出力部１３及び制御ユニット１４を備える。上部ハウジング１６は、第２データ入力部１７及び第２出力部１８を備える。
【００４３】
第１及び第２データ入力部１２，１７は、キーやタッチパッド等、使用者がデータ入力のために操作するものである。また、第１及び第２出力部１３，１８は、液晶表示デバイス（ＬＣＤ）のようなディスプレイデバイス、スピーカーのような音声出力デバイスなどである。すなわち、第１及び第２出力部１３，１８は、制御ユニット１４によって処理されたデータを出力する。
【００４４】
上部ハウジング１６は、本体ハウジング１１に結合し、また、本体ハウジング１１に対面した状態で動く。
【００４５】
制御ユニット１４は、上部ハウジング１６が本体ハウジング１１に対して動くか否かを判定する。制御ユニット１４は、上部ハウジング１６の動きを検出するために、前述したスイッチと連動する。該スイッチは、上部ハウジング１６が本体ハウジング１１に対して動くときに押下されるように構成される。したがって、制御ユニット１４は、スイッチが押下されているか否かによって上部ハウジング１６の動き状態を判定する。例えば、上部ハウジング１６の動きは、スライド型端末機ではスライドアップまたはダウン動作を、スイング型端末機ではスイング動作を指す。
【００４６】
上部ハウジング１６の動きが検出されると、制御ユニット１４は、データ入力部１２，１７の全部または一部の動作を遮断する。これにより、該当するデータ入力部１２，１７は非活性化（disable）される。
【００４７】
本発明ではデータ入力部１２，１７に対する非活性化時間を設定する。したがって、制御ユニット１４は、上部ハウジング１６の動きが検出された時から非活性化時間が終わるまで、データ入力部１２，１７の動作を非活性化する。非活性化時間が終わると、制御ユニット１４は、該当するデータ入力部１２，１７の動作を活性化（enable）する。
【００４８】
なお、制御ユニット１４は、上部ハウジング１６が動き始めた時から動きが止まるまで、データ入力部１２，１７の動作を非活性化するようにしても良い。
【００４９】
以降、上部ハウジング１６の動きが止まると、制御ユニット１４は、該当するデータ入力部１２，１７の動作を活性化（enable）する。例えば、スライド型端末機では、進行していたスライドアップ動作が止まる、または、進行していたスライドダウン動作が止まると、該当するデータ入力部１２，１７の動作を活性化（enable）する。また、スイング型端末機では、スイング動作が止まると該当するデータ入力部１２，１７の動作を活性化（enable）する。
【００５０】
制御ユニット１４は、上部ハウジング１６が動き始めた時に一時的にデータ入力部１２，１７の動作を非活性化するようにしても良い。例えば、スイング型端末機では、上部ハウジング１６が一定角度スイングするまでの一時的にデータ入力部１２，１７の動作を非活性化する。
【００５１】
上記の本発明はフリップ型または折り畳み型通信端末機にも適用可能である。すなわち、フリップ型通信端末機では、制御ユニット１４は、フリップが開いた時から一定時間、キーの動作を非活性化することができ、折り畳み型通信端末機では、折り畳み部が開いた時から一定時間、キーの動作を非活性化することができる。
【００５２】
前述したように、データ入力部１２，１７は、複数キーやタッチパッドなどであるため、制御ユニット１４は、上部ハウジング１６が動く際に複数キーやタッチパッドから入力されるデータを無視する。
【００５３】
また特に、制御ユニット１４は、上部ハウジング１６が動くか否かに応じ、以下に言及される段差面キーの動作を制御することが最も好ましい。この段差面キーとその動作制御について以下に詳しく説明する。
【００５４】
図４乃至図７は、本発明による通信端末機を示す詳細図で、上部ハウジングがスイング自在に本体に結合されるスイング型端末機を示している。
【００５５】
図４は、上部ハウジングが閉じた状態を示す斜視図であり、図５は、上部ハウジングが開いた状態を示す斜視図である。図４及び図５を参照すると、本発明の通信端末機は、段差が形成された本体ハウジング１０と、その低部面３０に対面した状態でスイングする上部ハウジング２０と、を備えて構成される。
【００５６】
特に、本体ハウジング１０において、高部面３１と低部面３０との境界部分は傾斜して形成される。これにより、本体ハウジング１０において高部面３１と低部面３０との間に段差面３２が形成されている。
【００５７】
本発明の通信端末機は、上部ハウジング２０にデータ出力のためのディスプレイデバイスを備える。このディスプレイデバイスは、上部ハウジング２０の、低部面に対面した面の反対面に形成される。このディスプレイデバイスとディスプレイデバイスを保護する上部ハウジング２０とが結合して一つのディスプレイユニットを形成する。
【００５８】
本発明の通信端末機は、データ入力のためのキー４０，４１，４２を備える。下部キー４０は、本体ハウジング１０において低部面３０に形成される。上部キー４１は、本体ハウジング１０において高部面３１に形成される。中間キー、すなわち、段差面キー４２は、高部面３１と低部面３０との間の段差面３２に形成される。
【００５９】
上記のキー４０，４１，４２の中で、低部面３０に配置されたキー４０は、上部ハウジング２０のスイングによって開閉されるように形成される。また、上記のキー４０，４１，４２の中で、段差面３２に配置された段差面キー４２も、上部ハウジング２０のスイングによって開閉されるように形成されると良い。
【００６０】
上部ハウジング２０がスイングし開いた状態では、低部面３０に配置された下部キー４０及び／又は段差面キー４２はデータ入力のために動作する。一方、上部ハウジング２０がスイングし閉じた状態では、低部面３０に配置された下部キー４０及び／又は段差面キー４２は、上部ハウジング２０によって遮蔽され、データ入力のための動作もまた遮断される。
【００６１】
高部面３１に配置された上部キー４１は、上部ハウジング２０のスイングにかかわらず常に開放されている。
【００６２】
前述の制御ユニットは、上部ハウジング２０がスイングする時にデータ入力のためのキー４０，４１，４２の動作を制御する。制御ユニットがキー４０，４１，４２の動作を制御する手順については、図８及び図９を参照して後述する。
【００６３】
図６は、通信端末機のキーが装着されたキーパッドを示す斜視図であり、図７は、通信端末機のキーパッドの断面図である。
【００６４】
図６に示すように、本体ハウジング１０において低部面３０に配置される下部キー４０と、段差面３２に配置される段差面キー４２とは、一つのキーパッド４３に形成される。本体ハウジング１０は、複数の穴を有し、これらの穴から、キーパッド４３に形成されたキー４０，４２と、別のキーパッドに形成されたキー４１が露呈する。
【００６５】
好ましくは、段差面３２に形成される段差面キー４２は、台形のタッチ面を有する。また、段差面キー４２の下部には、通常のキーアクチュエータ（図示せず）が配置される。このアクチュエータは、段差面キー４２の数ｍｍ下部に位置する。好ましくは、１ｍｍ下部に位置して、段差面キー４２の動作成功率を高め、クリック感を向上させる。
【００６６】
次に、前述した制御ユニットが、上部ハウジングのスイングによってデータ入力のためのキー４０，４１，４２の動作を制御する手順について説明する。
【００６７】
図８は、本発明による通信端末機のデータ入力制御手順を説明するフローチャートであり、図９は、データ入力部の遮断を説明するためのタイミング図である。
【００６８】
通信端末機が電源オン（power on）されると（Ｓ１０）、制御ユニットは、上部ハウジング２０が動くか否かを判定する（Ｓ１１）。すなわち、制御ユニットは、上部ハウジング２０がスイングするか否かを判定する。この時、制御ユニットは、前述のスイッチからの印加信号に基づいて上部ハウジング２０がスイングしたか否かを判定する。
【００６９】
上部ハウジング２０が動いたことが検出されると、制御ユニットは、データ入力部、すなわち、キーの動作を一時遮断する（Ｓ１２）。これにより、該当するキーは非活性化される。
【００７０】
図８には、キーの動作を制御するための非活性化時間を設定した場合を示しているので、制御ユニットは、上部ハウジング２０の動きが検出された時にキーを遮断し、それから非活性化時間をカウントするためのタイマーを起動する。以降、非活性化時間が終わると、該当するキーの遮断を解除する（Ｓ１３）。
【００７１】
これにより、キーの動作は、上部ハウジング２０の動きが検出された時から非活性化時間の間、非活性化され、その非活性化時間が経つと動作が正常化する。
【００７２】
図９において、矢示時点Ｓが、上部ハウジングが動き始めた時点である。制御ユニットは、時点ＳからＴ時間の間、キーの動作を非活性化する。ここでは、Ｔを約１秒とするが、このＴは、端末機の機種や動作モードごとに別に定めて良い。
【００７３】
以上説明してきた内容から、当業者にとって本発明の技術思想を逸脱しない範囲で種々の変更及び修正が可能であることが理解される。したがって、本発明の技術的範囲は、上記の具体例に限定されるものではなく、特許請求の範囲によって定められるべきである。
【図面の簡単な説明】
【００７４】
【図１】従来の折り畳み型通信端末機の構成を示すもので、折り畳み型通信端末機の分解斜視図である。
【図２】スイング型端末機における上部ハウジングの動作例を示す図である。
【図３】本発明による通信端末機の内部構成を示すブロック図である。
【図４】本発明による通信端末機において上部ハウジングが閉じた状態を示す斜視図である。
【図５】本発明による通信端末機において上部ハウジングが開いた状態を示す斜視図である。
【図６】本発明による通信端末機においてキーが装着されたキーパッドを示す斜視図である。
【図７】本発明による通信端末機のキーパッドを示す断面図である。
【図８】本発明によるデータ入力制御手順を説明するための図である。
【図９】本発明による通信端末機においてデータ入力部の遮断を説明するためのタイミング図である。
【図１】
2007135202.tif 000003
【図２】
2007135202.tif 000004
【図３】
2007135202.tif 000005
【図４】
2007135202.tif 000006
【図５】
2007135202.tif 000007
【図６】
2007135202.tif 000008
【図７】
2007135202.tif 000009
【図８】
2007135202.tif 000010
【図９】
2007135202.tif 000011
【外国語明細書】
2007135202.tif 000012
2007135202.tif 000013
2007135202.tif 000014
2007135202.tif 000015
2007135202.tif 000016
2007135202.tif 000017
2007135202.tif 000018
2007135202.tif 000019
2007135202.tif 000020
2007135202.tif 000021
2007135202.tif 000022
2007135202.tif 000023
2007135202.tif 000024
2007135202.tif 000025
2007135202.tif 000026
2007135202.tif 000027
2007135202.tif 000028
2007135202.tif 000029
2007135202.tif 000030
2007135202.tif 000031
2007135202.tif 000032
2007135202.tif 000033
2007135202.tif 000034
2007135202.tif 000035
2007135202.tif 000036
2007135202.tif 000037
2007135202.tif 000038
2007135202.tif 000039
【図１】
2007135202.tif 000040
【図２】
2007135202.tif 000041
【図３】
2007135202.tif 000042
【図４】
2007135202.tif 000043
【図５】
2007135202.tif 000044
【図６】
2007135202.tif 000045
【図７】
2007135202.tif 000046
【図８】
2007135202.tif 000047
【図９】
2007135202.tif 000048